(57)【特許請求の範囲】
【請求項１】
ローカルエンドデバイスに接続される各端末機器が安定的に前記ローカルエンドデバイスに逆方向給電する過程において、各リンクの端末機器の逆方向給電情報を取得するステップと、
取得した各リンクの端末機器の逆方向給電情報に基づき、前記各端末機器の逆方向給電管理情報を確定するステップと、
前記各端末機器の逆方向給電管理情報をそれぞれ対応した端末機器に伝送して、前記各端末機器に対し、受信した前記逆方向給電管理情報に従って前記ローカルエンドデバイスへの逆方向給電のパラメータを調整することを指示するステップと、を含み、
前記逆方向給電情報は、端末機器の逆方向給電能力情報とリンクの属性情報を含み、
前記各リンクの端末機器の逆方向給電情報を取得することは、
前記ローカルエンドデバイスが予め定められた方式によって前記各端末機器の逆方向給電能力情報を取得し、前記逆方向給電能力情報は、逆方向給電能力、電源状態及びサービス状態を含むことと、
前記ローカルエンドデバイスが予め定められた方式によって前記各リンクの属性情報を取得し、前記属性情報は、線路の長さと線路のインピーダンス特性を含むことと、を含む逆方向給電管理方法。
【請求項２】
前記各端末機器の逆方向給電管理情報を前記各端末機器にそれぞれ伝送することは、
前記ローカルエンドデバイスは特定チャネル又はプロトコルによって、各前記端末機器の逆方向給電管理情報をそれぞれ対応した前記端末機器に伝送することを含む請求項１に記載の逆方向給電管理方法。
【請求項３】
取得した前記各リンクの端末機器の逆方向給電情報に基づき、前記各端末機器の逆方向給電管理情報を確定することは、
前記ローカルエンドデバイスが、各リンクの端末機器の逆方向給電情報に基づき、公平と効率のバランスの第２原則に従って、前記各端末機器における逆方向給電に参加する端末機器、及び逆方向給電に参加する各端末機器の周期当たりの給電時間を確定すること、及び/又は、
前記ローカルエンドデバイスが、各リンクの端末機器の逆方向給電情報に基づき、前記各端末機器における一つ又は複数の端末機器が現在アイドル又は電池給電状態にあることを確定し、前記一つ又は複数の端末機器に逆方向給電のオフを指示する逆方向給電管理情報を送信することを確定することを含む請求項１に記載の逆方向給電管理方法。
【請求項４】
取得した前記各リンクの端末機器の逆方向給電情報に基づき、前記各端末機器の逆方向給電管理情報を確定することは、前記ローカルエンドデバイスが、各リンクの端末機器の逆方向給電情報に基づき、公平と効率のバランスの第１原則に従って、各前記端末機器の逆方向給電の配電を確定することを含み、
前記第１原則は、前記各端末機器が平均配電を行う原則、配電がリンクの長さと反比例する原則、物理特性がよいリンクであればあるほど配分する電力が多い原則、給電能力が高い端末機器であればあるほど配分する電力が多い原則、電池給電状態の端末機器に逆方向給電の電力を配分しない原則、アイドル状態の端末機器に配分する逆方向給電の電力が非アイドル状態の端末機器に配分する逆方向給電の電力より少ない原則、ローカルエンドデバイスに逆方向給電を実行するように予め設定された端末機器のみに逆方向給電の電力を配分する原則、各端末機器の逆方向給電情報及び対応したリンクの属性情報を考え合わせて、効率最大化の配電を行う原則、の少なくとも１つを含む請求項１に記載の逆方向給電管理方法。
【請求項５】
前記ローカルエンドデバイスが、公平と効率のバランスの第２原則に従って、前記各端末機器における逆方向給電に参加する端末機器を確定することは、
前記ローカルエンドデバイスが、前記各端末機器における現在アイドル又は電池給電状態にある端末機器は逆方向給電に参加しなく、その他の端末機器が逆方向給電に参加することを確定することを含む請求項３に記載の逆方向給電管理方法。
【請求項６】
前記方法は、前記ローカルエンドデバイスの電力消耗需要が変化する際に、又は前記ローカルエンドデバイスに接続される端末機器の数が変化する際に、又は前記各端末機器における一つ又は複数の端末機器の逆方向給電情報が変化する際に、前記各端末機器の逆方向給電管理情報を再確定して、再確定した前記各端末機器の逆方向給電管理情報を対応した端末機器に送信するステップを更に含む請求項１〜５のいずれか一項に記載の逆方向給電管理方法。
【請求項７】
ローカルエンドデバイスに接続される各端末機器が安定的に前記ローカルエンドデバイスに逆方向給電する過程において、各リンクの端末機器の逆方向給電情報を取得するように設定される取得モジュールと、取得した前記各端末機器の逆方向給電情報に基づき前記各端末機器の逆方向給電管理情報を確定するように設定される確定モジュールと、前記各端末機器の逆方向給電管理情報を前記各端末機器にそれぞれ伝送して、前記各端末機器に対し、受信した前記逆方向給電管理情報に従って前記ローカルエンドデバイスへの逆方向給電のパラメータを調整することを指示するように設定される伝送モジュールと、を含み、
前記取得モジュールは、
予め定められた方式によって前記各端末機器の逆方向給電能力情報を取得し、前記逆方向給電能力情報は、逆方向給電能力、電源状態及びサービス状態を含むように設定される第１取得ユニットと、
予め定められた方式によって前記各リンクの属性情報を取得し、前記属性情報は、線路の昇順と線路のインピーダンス特性を含むように設定される第２取得ユニットと、を含む逆方向給電管理装置。
【請求項８】
前記確定モジュールは、
公平と効率のバランスの第１原則に従って各前記端末機器の逆方向給電の配電を確定するように設定される第１確定ユニット、及び/又は、
公平と効率のバランスの第２原則に従って、前記各端末機器における逆方向給電に参加する端末機器、及び逆方向給電に参加する各端末機器の周期当たりの給電時間を確定するように設定される第２確定ユニットを含む請求項７に記載の逆方向給電管理装置。
【請求項９】
前記ローカルエンドデバイスの電力消耗需要が変化する際に、又は前記ローカルエンドデバイスに接続される端末機器の数が変化する際に、又は前記各端末機器における一つ又は複数の端末機器の逆方向給電情報が変化する際に、前記各端末機器の逆方向給電管理情報を再確定して、再確定した前記各端末機器の逆方向給電管理情報を対応した端末機器に送信するように設定される更新モジュールを更に含む請求項７又は８に記載の逆方向給電管理装置。
【請求項１０】
請求項７〜９のいずれか一項に記載の逆方向給電管理装置を含むローカルエンドデバイス。
【請求項１１】
ローカルエンドデバイスと一つ又は複数の端末機器を含み、
前記ローカルエンドデバイスは請求項７〜９のいずれか一項に記載の逆方向給電管理装置を含み、
前記端末機器は、前記ローカルエンドデバイスが送信した逆方向給電管理情報を受信して、且つ前記逆方向給電管理情報に従って前記ローカルエンドデバイスへ給電する給電パラメータを設定するように設定される逆方向給電管理システム。
【発明の詳細な説明】
【技術分野】
【０００１】
本発明は通信分野に関し、具体的に、逆方向給電管理方法、装置及びシステムに関する。
【背景技術】
【０００２】
科学技術の急速な発展に伴って、デジタル加入者線（Digital Subscriber Line、ＤＳＬと略称する）技術は、通常のツイストペアケーブル上で、音声、ビデオ及びデータサービスを提供でき、高速にアクセスでき、メンテナンスのオーバーヘッドが低く、既存のネットワークを十分に利用して及び使用が安全である等の特長を有する。
【０００３】
現在、最新のＧ.ｆａｓｔ技術は、スペクトルを拡張することによって、ツイストペア上にアップダウンリンクの正味料率が１Gbpsに達する非対称伝送を提供することができる。
【０００４】
図１は、Ｇ.ｆａｓｔが逆方向給電をサポートするファイバー・ツー・ザ・ディストリビューションポイント（Fiber to the Distribution Point、ＦＴＴＤＰと略称する）の模式図である。図１に示すように、ファイバー・ツー・ザ・ディストリビューションポイント（Distribution Point、ＤＰと略称する）のローカルエンドデバイスは、一般的に住宅の地下室或いは配線孔に配備され、アクセス環境の複雑さのため、機器の給電が比較的困難である。共通電源から専用の電線をローカルエンドデバイスに敷設すると、システム配備のコストが増加してしまう。ローカルエンドデバイスは端末機器からの距離が一般的に２００メートルより短いため、ユーザ端の機器によって逆方向にローカルエンドデバイスに給電することができる。
【０００５】
関連技術において、ローカルエンドデバイスに接続される複数のユーザ機器が逆方向にローカルエンドデバイスに給電する際に、如何に逆方向給電の管理を行うかについては、現在まだ有効な解決手段を提案していない。
【発明の概要】
【発明が解決しようとする課題】
【０００６】
ローカルエンドデバイスに接続される複数のユーザ機器が逆方向にローカルエンドデバイスに給電する際に、如何に逆方向給電の管理を行うかの課題に係り、本発明は、逆方向給電管理方法、装置及びシステムを提供し、それによって、上記課題を少なくとも解決する。
【課題を解決するための手段】
【０００７】
本発明の一実施例によれば、逆方向給電管理方法を提供し、ローカルエンドデバイスに接続される各端末機器が安定的に前記ローカルエンドデバイスに逆方向給電する過程において、各リンクの端末機器の逆方向給電情報を取得するステップと、取得した各リンクの端末機器の逆方向給電情報に基づき、前記各端末機器の逆方向給電管理情報を確定するステップと、前記各端末機器の逆方向給電管理情報をそれぞれ対応した端末機器に伝送して、前記各端末機器に対し、受信した前記逆方向給電管理情報に従って前記ローカルエンドデバイスへの逆方向給電のパラメータを調整することを指示するステップと、を含む。
【０００８】
選択的に、前記逆方向給電情報は、端末機器の逆方向給電能力情報とリンクの属性情報を含む。
【０００９】
選択的に、前記各リンクの端末機器の逆方向給電情報を取得することは、前記ローカルエンドデバイスが予め定められた方式によって前記各端末機器の逆方向給電能力情報を取得し、前記逆方向給電能力情報は、逆方向給電能力、電源状態及びサービス状態を含むことと、前記ローカルエンドデバイスが予め定められた方式によって前記各リンクの属性情報を取得し、前記属性情報は、線路の昇順と線路のインピーダンス特性を含むことと、を含む。
【００１０】
選択的に、前記各端末機器の逆方向給電管理情報を前記各端末機器にそれぞれ伝送することは、前記ローカルエンドデバイスが、特定チャネル又はプロトコルによって、各前記端末機器の逆方向給電管理情報をそれぞれ対応した前記端末機器に伝送することを含む。
【００１１】
選択的に、取得した前記各リンクの端末機器の逆方向給電情報に基づき前記各端末機器の逆方向給電管理情報を確定することは、前記ローカルエンドデバイスが、各リンクの端末機器の逆方向給電情報に基づき、公平と効率のバランスの第１原則に従って、各前記端末機器の逆方向給電の配電（power allocation）を確定すること、及び/又は、前記ローカルエンドデバイスが、各リンクの端末機器の逆方向給電情報に基づき、公平と効率のバランスの第２原則に従って、前記各端末機器における逆方向給電に参加する端末機器、及び逆方向給電に参加する各端末機器の周期当たりの給電時間を確定すること、及び/又は、前記ローカルエンドデバイスが、各リンクの端末機器の逆方向給電情報に基づき、前記各端末機器における一つ又は複数の端末機器が現在サービスがない又は電池状態にあることを確定し、前記一つ又は複数の端末機器に逆方向給電のオフを指示する逆方向給電管理情報を送信することを確定することを含む。
【００１２】
選択的に、前記第１原則は、前記各端末機器が平均配電（均等な電力の配分）を行う原則、配電（配分する電力）がリンクの長さと反比例する原則、物理特性がよいリンクであればあるほど配分する電力が多い原則、給電能力が高い端末機器であればあるほど配分する電力が多い原則、電池状態の端末機器に電力を配分しない原則、アイドル状態の端末機器に配分する電力が非アイドル状態の端末機器に配分する電力より少ない原則、取り決められたプロトコルの端末機器のみに電力を配分する原則、各端末機器の逆方向給電情報及び対応したリンクの属性情報に記録した各方面条件を考え合わせて、効率最大化の配電を行う原則の少なくとも１つを含む。
【００１３】
選択的に、前記ローカルエンドデバイスが、公平と効率のバランスの第２原則に従って、前記各端末機器における逆方向給電に参加する端末機器を確定することは、前記ローカルエンドデバイスが、前記各端末機器において現在サービスがない又は電池状態にある端末機器は逆方向給電に参加しなく、その他の端末機器が逆方向給電に参加することを確定する。
【００１４】
選択的に、前記方法は、前記ローカルエンドデバイスの電力消耗需要が変化する際に、又は前記ローカルエンドデバイスに接続される端末機器の数が変化する際に、又は前記各端末機器における一つ又は複数の端末機器の逆方向給電情報が変化する際に、前記各端末機器の逆方向給電管理情報を再確定して、再確定した前記各端末機器の逆方向給電管理情報を対応した端末機器に送信するステップを更に含む。
【００１５】
本発明の他の実施例によれば、逆方向給電管理装置を提供し、ローカルエンドデバイスに接続される各端末機器が安定的に前記ローカルエンドデバイスに逆方向給電する過程において、各リンクの端末機器の逆方向給電情報を取得するように設定される取得モジュールと、取得した前記各端末機器の逆方向給電情報に基づき前記各端末機器の逆方向給電管理情報を確定するように設定される確定モジュールと、前記各端末機器の逆方向給電管理情報を前記各端末機器にそれぞれ伝送して、前記各端末機器に対し、受信した前記逆方向給電管理情報に従って、前記ローカルエンドデバイスへの逆方向給電のパラメータを調整することを指示するように設定される伝送モジュールとを含む。
【００１６】
選択的に、前記確定モジュールは、公平と効率のバランスの第１原則に従って各前記端末機器の逆方向給電の配電（割り当て）を確定するように設定される第１確定ユニット、及び/又は、公平と効率のバランスの第２原則に従って、前記各端末機器において逆方向給電に参加する端末機器、及び逆方向給電に参加する各端末機器の周期当たりの給電時間を確定するように設定される第２確定ユニットを含む。
【００１７】
選択的に、前記取得モジュールは、予め定められた方式によって前記各端末機器の逆方向給電能力情報を取得し、前記逆方向給電能力情報は、逆方向給電能力、電源状態、及びサービス状態を含むように設定される第１取得ユニットと、予め定められた方式によって前記各リンクの属性情報を取得し、前記属性情報は線路の昇順と線路のインピーダンス特性を含むように設定される第２取得ユニットを含む。
【００１８】
選択的に、前記装置は、前記ローカルエンドデバイスの電力消耗需要が変化する際に、又は前記ローカルエンドデバイスに接続される端末機器の数が変化する際に、又は前記各端末機器における一つ又は複数の端末機器の逆方向給電情報が変化する際に、前記各端末機器の逆方向給電管理情報を再確定して、再確定した前記各端末機器の逆方向給電管理情報を対応した端末機器に送信するように設定される更新モジュールを更に含む。
【００１９】
本発明のさらに別の実施例によれば、ローカルエンドデバイスを提供して、上記の逆方向給電管理装置を含む。
【００２０】
本発明のさらに別の実施例によれば、逆方向給電管理システムを提供し、ローカルエンドデバイスと一つ又は複数の端末機器を含み、前記ローカルエンドデバイスは上記の逆方向給電管理装置を含み、前記端末機器は、前記ローカルエンドデバイスが送信した逆方向給電管理情報を受信して、且つ前記逆方向給電管理情報に従って前記ローカルエンドデバイスへ給電する給電パラメータを設定するように設定される。
【発明の効果】
【００２１】
本発明によれば、ローカルエンドデバイスに現在リンクされている各端末機器の逆方向給電情報を収集し、収集した逆方向給電情報に基づき各端末機器の逆方向給電管理情報を確定して、且つ各端末機器の逆方向給電管理情報を対応する端末機器に送信し、各端末機器に対し、受信した逆方向給電管理情報に従ってローカルエンドデバイスへ逆方向給電を行うパラメータを調整することを指示し、関連技術における逆方向給電の端末機器に対して給電管理を行うことができない問題を解決し、効果的に逆方向給電の端末機器に対して給電管理を行い、ローカルエンドデバイスと端末機器の正常動作を確保することができる。
【図面の簡単な説明】
【００２２】
ここで説明する図面は、本発明を更に理解するためのものであり、本出願の一部であり、本発明の模式的実施例及びその説明は本発明を解釈するためのものであるに過ぎず、本発明を不適切に制限するものではない。
【図１】図１は、関連技術におけるＧ.ｆａｓｔが逆方向給電をサポートするファイバー・ツー・ザ・ディストリビューションポイント（ＦＴＴＤＰ）の模式図である。
【図２】図２は、本発明の実施例による逆方向給電管理方法を示すフローチャートである。
【図３】図３は、本発明の実施例による逆方向給電管理装置を示す構造模式図である。
【図４】図４は、実施例１のフローチャートである。
【図５】図５は、実施例２のフローチャートである。
【図６】図６は、実施例３のフローチャートである。
【発明を実施するための形態】
【００２３】
以下、図面を参照して実施例を結び付けながら本発明について詳細に説明する。なお、矛盾が生じない場合には、本出願における実施例及び実施例における特徴は互いに組み合わせることができる。
【００２４】
本発明の実施例によれば、逆方向給電管理方法を提供する。
【００２５】
図２は、本発明の実施例による逆方向給電管理方法を示すフローチャートであり、図２に示すように、該方法は主に以下のステップＳ２０２〜ステップＳ２０６を含む。
【００２６】
ステップＳ２０２： ローカルエンドデバイスに接続される各端末機器は、安定的に前記ローカルエンドデバイスに逆方向給電する過程において、各リンクの前記端末機器の逆方向給電情報を取得する。
【００２７】
選択的に、ステップＳ２０２は、前記ローカルエンドデバイスは予め定められた方式によって前記各端末機器の逆方向給電能力情報を取得することができ、前記逆方向給電能力情報は、逆方向給電能力、電源状態及びサービス状態を含んでもよいこと、前記ローカルエンドデバイスは予め定められた方式によって前記各リンクの属性情報を取得し、前記属性情報は線路の昇順と線路のインピーダンス特性を含むことを含んでもよい。
【００２８】
ステップＳ２０４：取得した前記各端末機器の逆方向給電情報に基づき、前記各端末機器の逆方向給電管理情報を確定する。
【００２９】
選択的に、ステップＳ２０４において、前記各端末機器の逆方向給電管理情報を確定することは、前記ローカルエンドデバイスが、各リンクの端末機器の逆方向給電情報に基づき、公平と効率のバランスの第１原則に従って各前記端末機器の逆方向給電の配電を確定すること、及び/又は、前記ローカルエンドデバイスが、各リンクの端末機器の逆方向給電情報に基づき、公平と効率のバランスの第２原則に従って、前記各端末機器における逆方向給電に参加する端末機器、及び逆方向給電に参加する各端末機器の周期当たりの給電時間を確定すること、及び/又は、前記ローカルエンドデバイスが、各リンクの端末機器の逆方向給電情報に基づき、前記各端末機器における一つ又は複数の端末機器が現在サービスがない又は電池状態にあることを確定し、前記一つ又は複数の端末機器に逆方向給電のオフを指示する逆方向給電管理情報を送信することを確定することを含んでもよい。
【００３０】
選択的に、配電原則は、前記各端末機器が平均配電（均等な電力の配分）を行う原則、配電（配分する電力）がリンクの長さと反比例する原則、物理特性がよいリンクであればあるほど配分する電力が多い原則、給電能力が高い端末機器であればあるほど配分する電力が多い原則、電池状態の端末機器に電力を配分しない原則、アイドル状態の端末機器に配分する電力が非アイドル状態の端末機器に配分する電力より少ない原則、プロトコルの端末機器のみに電力を配分する原則、各端末機器の逆方向給電情報及び対応したリンクの属性情報に記録した各方面条件を考え合わせて、効率最大化の配電を行う原則、の少なくとも１つを含む。
【００３１】
選択的に、前記ローカルエンドデバイスが公平と効率のバランスの第２原則に従って、前記各端末機器における逆方向給電に参加する端末機器を確定する際に、前記各端末機器における現在サービスがない又は電池状態にある端末機器は逆方向給電に参加しなく、その他の端末機器が逆方向給電に参加することを確定する。
【００３２】
ステップＳ２０６： 前記各端末機器の逆方向給電管理情報をそれぞれ対応した端末機器に伝送して、前記各端末機器に対し、受信した前記逆方向給電管理情報に従って前記ローカルエンドデバイスへの逆方向給電のパラメータを調整することを指示する。
【００３３】
例えば、ローカルエンドデバイスは、特定のチャネル又はプロトコルによって、各前記端末機器の逆方向給電管理情報をそれぞれ対応した前記端末機器に伝送することができる。
【００３４】
選択的に、前記方法は、前記ローカルエンドデバイスの電力消耗需要が変化する際に、又は前記ローカルエンドデバイスに接続される端末機器の数が変化する際に、又は前記各端末機器における一つ又は複数の端末機器の逆方向給電情報が変化する際に、前記各端末機器の逆方向給電管理情報を再確定して、再確定した前記各端末機器の逆方向給電管理情報を対応した端末機器に送信するステップを更に含んでもよい。
【００３５】
本発明の選択的な実施形態において、逆方向代理管理方法は以下のステップを含んでもよい。
ステップ１： ローカルエンドデバイスに接続される各端末機器は安定的にローカルエンドデバイスに逆方向給電する。
ステップ２： ローカルエンドデバイスは、特定の方法によって、線路の長さ、線路のインピーダンス特性等を含むリンクの情報を取得する。
ステップ３： ローカルエンドデバイスは、特定の方法によって、逆方向給電能力、電源状態、サービス状態等を含む端末機器の情報を取得する。
ステップ４： ローカルエンドデバイスは、収集した情報に基づき、各リンク端末機器の逆方向給電管理情報を確定する。
ステップ５： ローカルエンドデバイスは、逆方向給電管理情報を特定のチャネル又はプロトコルによって各端末機器に伝送する。
ステップ６： 各端末機器は、逆方向給電管理情報に従って、その逆方向給電モジュールのパラメータを調整する。
ステップ７： ローカルエンドデバイスの電力消耗需要が変化する際に、ローカルエンドデバイスは、新しい逆方向給電管理情報を送信する。
ステップ８： ローカルエンドデバイスに接続される端末機器の数が変化する際に、ローカルエンドデバイスは、新しい逆方向給電管理情報を送信する。
ステップ９： 依拠した逆方向給電情報が変化する際に、ローカルエンドデバイスは、新しい逆方向給電管理情報を送信する。
【００３６】
本発明の実施例による上記方法によって、ローカルエンドデバイスは各リンクの逆方向給電情報を収集して、次にこれによって各リンクの前記端末機器の逆方向給電する管理情報を確定して、最終的にこの管理情報を各端末機器に送信して、関連技術においては実現できない逆方向給電管理の問題を解決し、更にローカルエンドデバイスに接続される各端末機器の間でローカルエンドデバイスに給電する公平性を確保し、同時に、更に逆方向給電の給電効率を向上させる。
【００３７】
本発明の実施例によれば、逆方向給電管理装置を更に提供する。
【００３８】
図３は、本発明の実施例による逆方向給電管理装置を示す構造模式図であり、図３に示すように、主に、ローカルエンドデバイスに接続される各端末機器が安定的に前記ローカルエンドデバイスに逆方向給電する過程において、各リンクの端末機器の逆方向給電情報を取得するように設定される取得モジュール３０と、取得した前記各端末機器の逆方向給電情報に基づき前記各端末機器の逆方向給電管理情報を確定するように設定される確定モジュール３２と、前記各端末機器の逆方向給電管理情報を前記各端末機器にそれぞれ伝送して、前記各端末機器に対し、受信した前記逆方向給電管理情報に従って前記ローカルエンドデバイスへの逆方向給電のパラメータを調整することを指示するように設定される伝送モジュール３４とを含む。
【００３９】
選択的に、前記確定モジュール３２は、公平と効率のバランスの第１原則に従って各前記端末機器の逆方向給電の配電を確定するように設定される第１確定ユニット、及び/又は、公平と効率のバランスの第２原則に従って、前記各端末機器における逆方向給電に参加する端末機器、及び逆方向給電に参加する各端末機器の周期当たりの給電時間を確定するように設定される第２確定ユニットを含んでもよい。
【００４０】
選択的に、前記取得モジュール３２は、予め定められた方式によって前記各端末機器の逆方向給電能力情報を取得し、前記逆方向給電能力情報は、逆方向給電能力、電源状態及びサービス状態を含むように設定される第１取得ユニットと、予め定められた方式によって前記各リンクの属性情報を取得し、前記属性情報は、線路の昇順と線路のインピーダンス特性を含むように設定される第２取得ユニットとを含んでもよい。
【００４１】
選択的に、前記装置は、前記ローカルエンドデバイスの電力消耗需要が変化する際に、又は前記ローカルエンドデバイスに接続される端末機器の数が変化する際に、又は前記各端末機器における一つ又は複数の端末機器の逆方向給電情報が変化する際に、前記各端末機器の逆方向給電管理情報を再確定して、再確定した前記各端末機器の逆方向給電管理情報を対応した端末機器に送信するように設定される更新モジュールを更に含む。
【００４２】
本発明の実施例による上記装置によって、ローカルエンドデバイスと端末機器との間の各リンクの逆方向給電情報を収集して、次にこれによって各リンクの前記端末機器の逆方向給電する管理情報を確定して、最終的にこの管理情報を各端末機器に送信して、関連技術における実現できない逆方向給電管理の問題を解決し、更にローカルエンドデバイスに接続される各端末機器の間にローカルエンドデバイスに給電する公平性を確保し、同時に、更に逆方向給電の給電効率を向上させる。
【００４３】
本発明の実施例によれば、ローカルエンドデバイスを更に提供し、上記の逆方向給電管理装置を含む。
【００４４】
本発明の実施例によれば、逆方向給電管理システムを更に提供し、該逆方向給電管理システムは、ローカルエンドデバイスと一つ又は複数の端末機器を含み、前記ローカルエンドデバイスは、上記の逆方向給電管理装置を含み、前記端末機器は、前記ローカルエンドデバイスが送信した逆方向給電管理情報を受信して、且つ前記逆方向給電管理情報に従って前記ローカルエンドデバイスへ給電する給電パラメータを設定するように設定される。
【００４５】
本発明の実施例による上記逆方向給電管理システムによって、ローカルエンドデバイスは各リンクの逆方向給電情報を収集し、次にこれによって各リンクの前記端末機器の逆方向給電する管理情報を確定して、最終的にこの管理情報を各端末機器に送信して、各端末機器は該管理情報に基づき前記ローカルエンドデバイスに給電する給電パラメータを設定する。関連技術においては実現できない逆方向給電管理の課題を解決し、更にローカルエンドデバイスに接続される各端末機器の間にローカルエンドデバイスに給電する公平性を確保し、同時に、更に逆方向給電の給電効率を向上させる。
【００４６】
以下、具体的な実施例によって、本発明の実施例による技術手段について説明する。
【００４７】
実施例１
本実施例は逆方向給電配電を例として、本発明の実施例による逆方向給電管理方式を説明する。
【００４８】
図４は、本実施例における逆方向給電配電を行うフローチャートであり、図４に示すように、主に以下のステップを含む。
ステップ４０１： ローカルエンドデバイスに接続される各端末機器は安定的にローカルエンドデバイスに逆方向給電する。
【００４９】
ステップ４０２： ローカルエンドデバイスはＰｏＥ(Power over Ethernet)プロトコルによって各端末機器の逆方向給電能力情報を取得する。
【００５０】
ステップ４０３： ローカルエンドデバイスは初期化過程によって各リンクの長さとインピーダンス特性情報を取得する。
【００５１】
ステップ４０４： ローカルエンドデバイスは管理チャネルによって各端末機器の電源状態とサービス状態情報を取得する。
【００５２】
ステップ４０５： ローカルエンドデバイスは、以上の取得した情報を結合して、公平と効率のバランスの原則に従って各リンクの端末機器の逆方向給電の配電を確定する。
配電原則は、各ユーザ端末が平均配電を行う原則、或いは、配電がリンクの長さと反比例する原則、或いは、物理特性がよいリンクであればあるほど配分する電力が多い原則、或いは、給電能力が高い端末機器であればあるほど配分する電力が多い原則、或いは、電池状態の端末機器に電力を配分しない原則、或いは、アイドル状態の端末機器に配分する電力が少ない原則、或いは、プロトコル給電ユーザ端末のみに電力を配分する原則、或いは、各方面条件を考え合わせて、効率最大化の配電を行う原則を含む。
【００５３】
ステップ４０６： ローカルエンドデバイスは、確定した配電値を管理チャネル(例えばｅｏｃ命令(embedded operation channel))によって各端末機器に伝送する。
【００５４】
ステップ４０７： 端末機器は、関連プロトコルに従ってその配電値を取得して、次に該値でその逆方向給電モジュールの電力出力を調整する。
【００５５】
実施例２
本実施例は逆方向給電イネーブル管理を例として説明する。
【００５６】
図５は、本実施例における逆方向給電イネーブル管理を示すフローチャートであり、図５に示すように、主に以下のステップを含む。
ステップ５０１： ローカルエンドデバイスに接続される各端末機器は、安定的にローカルエンドデバイスに逆方向給電する。
ステップ５０２： ある端末機器がサービスがない或いは電池給電状態に入る際に、ローカルエンドデバイスは、イネーブル信号Ｐｏｗｅｒ-Ｏｆｆを管理チャネル(例えばｅｏｃ命令(embedded operation channel))によって該端末機器に伝送する。
【００５７】
ステップ５０３： 端末機器は該イネーブル信号を受信した後に、その逆方向給電モジュールの電力出力をオフし、ローカルエンドデバイスへの逆方向給電を停止する。
【００５８】
実施例３
本実施例は逆方向給電時間管理を例として説明する。
図６は、本実施例における逆方向給電時間管理を示すフローチャートであり、図６に示すように、主に以下のステップを含む。
ステップ６０１： ローカルエンドデバイスに接続される各端末機器は、安定的にローカルエンドデバイスに逆方向給電する。
ステップ６０２： ローカルエンドデバイスは、初期化過程によって各リンクの長さとインピーダンス特性情報を取得する。
【００５９】
ステップ６０３： ローカルエンドデバイスは、ＰｏＥ (Power over Ethernet)プロトコルによって各端末機器の逆方向給電能力情報を取得する。
ステップ６０４： ローカルエンドデバイスは、管理チャネルによって各端末機器の電源状態とサービス状態情報を取得する。
ステップ６０５： ローカルエンドデバイスは、以上の取得した情報を結合して、公平と効率のバランスの原則に従ってどのリンクの端末機器が逆方向給電（サービスがない又は電池状態の端末機器は逆方向給電に参加しなく、その他のリンクの端末機器が逆方向給電に参加する）に参加し、及び給電に参加する端末機器の周期当たりの給電時間を確定する。
【００６０】
ステップ６０６： ローカルエンドデバイスは、イネーブル情報Ｐｏｗｅｒ-Ｏｎ/Ｏｆｆと逆方向給電の時間を管理チャネル(例えばｅｏｃ命令(embedded operation channel))によって各端末機器に伝送する。
【００６１】
ステップ６０７：端末機器は、関連プロトコルに従って以上の情報を取得した後に、Ｐｏｗｅｒ-Ｏｆｆ情報を受信した端末機器は、その逆方向給電モジュールの電力出力をオフし、Ｐｏｗｅｒ-Ｏｎ情報を受信した端末機器は、その受信した給電時間で周期当たりの電力出力時間を調整する。
【００６２】
以上の説明から理解できるように、本発明の実施例は以下の技術的効果を実現し、関連技術における実現できない逆方向給電管理の課題を解決し、更にローカルエンドデバイスに接続される各端末機器の間でローカルエンドデバイスに給電する公平性を確保し、同時に、逆方向給電の給電効率も向上させる。
【００６３】
明らかなように、当業者は、上記した本発明の各モジュール又は各ステップは汎用の計算装置（コンピュータ）によって実現することができ、それらは単一の計算装置に集積してもよいし、又は複数の計算装置からなるネットワークに配布されてもよく、選択的に、それらは、計算装置が実行可能なプログラムコードで実現してもよく、それにより、それらを記憶装置に記憶して計算装置で実行してもよい。且つある場合には、ここでの順序と異なる順序で示した又は記述したステップを実行してもよく、又はそれらをそれぞれ各集積回路モジュールに製造して、又はそれらにおける複数のモジュール又はステップを単一の集積回路モジュールに製造して実現してもよいことを了解すべきである。このように、本発明はいずれの特定なハードウェアとソフトウェアの組み合わせに限定されるものではない。
【００６４】
以上のものは、単に本発明の好ましい実施例であるだけに過ぎず、本発明を限定するためのものではなく、当業者にとっては、本発明に対し各種の変更と変化を行うことができる。本発明の趣旨と原則にある限り、行ったいずれの修正、等価置き換え、改善等は、いずれも本発明の保護範囲に含まれるべきである。
【産業上の利用可能性】
【００６５】
本発明の実施例による上記技術的手段に基づいて、ローカルエンドデバイスに現在リンクされる各端末機器の逆方向給電情報を収集し、収集した逆方向給電情報に基づき各端末機器の逆方向給電管理情報を確定して、且つ各端末機器の逆方向給電管理情報を対応した端末機器に送信し、各端末機器に対し、受信した逆方向給電管理情報に従ってローカルエンドデバイスへ逆方向給電を行うパラメータを調整することを指示し、関連技術における、逆方向給電する端末機器に対して給電管理を行うことができない課題を解決し、効果的に逆方向給電する端末機器に対して給電管理を行い、ローカルエンドデバイスと端末機器の正常動作を確保することができる。
【図１】
0006345810.tif 000002
【図２】
0006345810.tif 000003
【図３】
0006345810.tif 000004
【図４】
0006345810.tif 000005
【図５】
0006345810.tif 000006
【図６】
0006345810.tif 000007